(57)【要約】【課題】着衣・脱衣が容易なつなぎ服を提供する。【解決手段】上着部１０とズボン部２０とが腰部３０を介して切り離し不能につながれているつなぎ服１であって、ズボン部２０における一方の脚部２１の下端２１ｂと腰部３０、および、ズボン部２０における他方の脚部２２の下端２２ｂと腰部３０に亘って設けられ、両脚部２１，２２から腰部３０に亘る一連の部位４０を解放可能とするスライドファスナー５０を備えている。一連の部位４０を解放し、解放された腰部２から上半身をつなぎ服１の上着部１０に入れるようにして被った後、スライドファスナー５０を閉じることでつなぎ服１を着衣することができる。スライドファスナー５０を開閉する作業は両足をついた状態で行うことができるから、片足立ちになる必要がなく、容易につなぎ服１を着る（または脱ぐ）ことができる。【選択図】図３
2014088648.tif 000002
【特許請求の範囲】
【請求項１】
上着部とズボン部とが腰部を介して切り離し不能につながれているつなぎ服であって、
前記ズボン部における一方の脚部の下端と前記腰部、および、前記ズボン部における他方の脚部の下端と前記腰部に亘って設けられ、両脚部から腰部に亘る一連の部位を解放可能とするスライドファスナーを備えていることを特徴とするつなぎ服。
【発明の詳細な説明】
【技術分野】
【０００１】
本発明は、つなぎ服に関するものである。
【背景技術】
【０００２】
従来、つなぎ服として、例えば特許文献１に見られるように、上着部（１）とズボン部（２）とが切り離し不能につながれていて、ズボン部（２）の尻部分（３）が開閉可能に形成され、着用したままでトイレをすることが出来るようにしたものが知られている。
【先行技術文献】
【特許文献】
【０００３】
【特許文献１】特開２００７−３２７１４４号公報
【発明の概要】
【発明が解決しようとする課題】
【０００４】
上述した従来のつなぎ服は、着用したままでトイレをすることはできるが、着ることに関しては、従来の一般的なつなぎ服と同様、ズボン部をはいて上着部を着るという動作が必要である。そのため、ズボン部をはく際に、片足立ちにならなければならないこともあり、着衣・脱衣が容易ではなかった。
本発明が解決しようとする課題は、着衣・脱衣が容易なつなぎ服を提供することである。
【課題を解決するための手段】
【０００５】
上記課題を解決するために本発明のつなぎ服は、上着部とズボン部とが腰部を介して切り離し不能につながれているつなぎ服であって、
前記ズボン部における一方の脚部の下端と前記腰部、および、前記ズボン部における他方の脚部の下端と前記腰部に亘って設けられ、両脚部から腰部に亘る一連の部位を解放可能とするスライドファスナーを備えていることを特徴とする。
このつなぎ服は、次のようにして着衣することができる。
着衣する人は、前記スライドファスナーを開くことで、両脚部から腰部に亘る一連の部位を解放し、その解放部から上半身をつなぎ服の上着部に入れるようにして被り、上着部を着た後、前記スライドファスナーを閉じ、両脚部から腰部を前記一連の部位で覆うことでつなぎ服を着衣することができる。
また、逆の手順によって、容易に脱ぐことができる。
このつなぎ服によれば、スライドファスナーを開閉する作業は両足をついた状態で行うことができるから、着衣・脱衣の際に片足立ちになる必要がなく、容易につなぎ服を着脱することができる。
しかも、このつなぎ服によれば、ズボン部をはくという動作が不要になるから、ブーツ等の履き物を履いた状態で着衣（または脱衣）することも容易である。
【図面の簡単な説明】
【０００６】
【図１】本発明に係るつなぎ服の実施の形態の正面図。
【図２】同じく背面図。
【図３】着衣のしかたの説明図。
【図４】着衣のしかたの説明図。
【図５】着衣のしかたの説明図。
【図６】着衣のしかたの説明図。
【図７】着衣のしかたの説明図。
【図８】着衣のしかたの説明図。
【図９】他の実施の形態の背面図。
【図１０】同じく部分開放背面図。
【図１１】同じく部分開放背面図。
【図１２】更なる他の実施の形態の正面図。
【発明を実施するための形態】
【０００７】
以下、本発明に係るつなぎ服の実施の形態について図面を参照して説明する。なお、各図において、同一部分ないし相当する部分には、同一の符号を付してある。
【０００８】
図１〜図３、特に図２に示すように、この実施の形態のつなぎ服１は、上着部１０とズボン部２０とが腰部３０を介して切り離し不能につながれているつなぎ服である。
このつなぎ服１は、ズボン部２０における一方の脚部２１の下端２１ｂと腰部３０、および、ズボン部２０における他方の脚部２２の下端２２ｂと腰部３０に亘って設けられ、両脚部２１，２２から腰部３０に亘る一連の部位４０を解放可能とするスライドファスナー５０を備えている。
スライドファスナー５０を開く際のスライダー５１のスライド方向を図２において矢印ｆで示す。
【０００９】
この実施の形態では、スライドファスナー５０は、ズボン部２０における一方の脚部２１の下端２１ｂから、腰部３０を経て、ズボン部２０における他方の脚部２２の下端２２ｂに至る１本のスライドファスナーで構成されているが、スライドファスナー５０は、例えば後述するように、ズボン部２０における一方の脚部２１の下端２１ｂと腰部３０に亘るファスナーと、ズボン部２０における他方の脚部２２の下端２２ｂと腰部３０に亘るファスナーとに分けて構成することもできる。
【００１０】
図２等に示すつなぎ服１は、次のようにして着衣することができる。
着衣する人Ｐ（図４等参照）は、図３、図４に示すように、ズボン部２０における一方の脚部２１の下端２１ｂから、腰部３０を経て、ズボン部２０における他方の脚部２２の下端２２ｂに至るスライドファスナー５０を開くことで、両脚部２１，２２から腰部３０に亘る一連の部位４０を解放し、解放された腰部２から上半身Ｐ１をつなぎ服１の上着部１０に入れるようにして被り、上着部１０を着る（図５参照）。
【００１１】
その後、図６〜図８に示すように、スライドファスナー５０を閉じ、両脚部２１，２２から腰部３０を前記一連の部位４０で覆うことでつなぎ服１を着衣することができる。
また、逆の手順によって、容易に脱ぐことができる。
【００１２】
スライドファスナー５０を開閉する作業は両足Ｐ２，Ｐ２をついた状態で行うことができるから、片足立ちになる必要がなく、容易につなぎ服１を着る（または脱ぐ）ことができる。
しかも、このつなぎ服１によれば、ズボン部２０をはくという動作が不要になるから、ブーツ等の履き物を履いた状態で着脱することも容易である。
【００１３】
このつなぎ服１は公知の素材によって作成することができる。
このつなぎ服１は、クリーンルーム作業用のつなぎ服、オートバイなどのためのつなぎ服、雨具用のつなぎ服としても構成できる。それぞれ公知の素材で構成することができる。
スライドファスナー５０も公知のスライドファスナーで構成できる。図２等に示すようにスライダー５１は１つとしても良いし、２つとしても良い。
【００１４】
図２等に示すように、両脚部２１，２２から腰部３０に亘る一連の部位４０は、脚部２１，２２の内側部をなす脚部４１，４２と、これに連なる臀部ないし腰部４３とを有し、図３等に示すように、スライドファスナー５０を開いた際、一連の部位４０は、股部４４にてつなぎ服１につながった状態となる。
【００１５】
図９〜図１１は他の実施の形態を示す図である。
この実施の形態が、上述した実施の形態と異なる点は、両脚部２１，２２，および腰ないし背部３２の内側に、それぞれ、面ファスナー等で取り外し可能とした高吸収繊維２１ｃ，２２ｃ，３２ｃを取り付け、それに水を含ませ気化熱で体を冷やすことができるようにした点にある。
【００１６】
腰ないし背部３２は、つなぎ服本体とは別体シート（３２）とし、この別体シート（３２）をつなぎ服本体に対して面ファスナー３３で着脱可能に構成し、別体シート（３２）の内面に対して高吸収繊維３２ｃを面ファスナー（この面ファスナーは図示していない）で着脱可能に取り付けてある。
【００１７】
腰ないし背部３２をつなぎ服本体と別体シート（３２）としたことにともない、つなぎ服本体には、別体シート（３２）に対向する開口部２が形成されるので、この実施の形態では、スライドファスナー５０は、ズボン部２０における一方の脚部２１の下端２１ｂと腰部３０に亘るファスナー５０と、ズボン部２０における他方の脚部２２の下端２２ｂと腰部３０に亘るファスナー５０とに分けて構成した。すなわち、この実施の形態では、スライドファスナー５０は、開口部３から脚部２１，２２の下端２１ｂ、２２ｂに至るスライドファスナーを個別に設けた。５１，５１は各スライドファスナー５０，５０のスライダーである。
【００１８】
この実施の形態のつなぎ服１も、前述したつなぎ服と略同様に着脱することができる。
念のために説明すると、スライドファスナー５０、５０を開くことで、両脚部２１，２２から腰部３０に亘る一連の部位４０を解放するとともに別体シート（３２）を開き、開口部（腰部）２から上半身Ｐ１をつなぎ服１の上着部１０に入れるようにして被り、その後、スライドファスナー５０、５０を閉じるとともに別体シート（３２）を閉じ、両脚部２１，２２から腰部３０を前記一連の部位４０と別体シート（３２）とで覆うことによってつなぎ服１を着衣することができる。
また、逆の手順によって、容易に脱ぐことができる。
【００１９】
このつなぎ服も、スライドファスナー５０、５０を開閉する作業は両足Ｐ２，Ｐ２をついた状態で行うことができるから、片足立ちになる必要がなく、容易につなぎ服１を着る（または脱ぐ）ことができる。
また、ブーツ等の履き物を履いた状態で着脱することも容易である。
【００２０】
以上、本発明の実施の形態について説明したが、本発明は上記の実施の形態に限定されるものではなく、本発明の要旨の範囲内において適宜変形実施可能である。
例えば、図１２に仮想線５０で示すように、スライドファスナーは、つなぎ服１の正面側に設けることもできる。
【符号の説明】
【００２１】
１：つなぎ服
１０：上着部
２０：ズボン部
２１，２２：脚部
２１ｂ、２２ｂ：下端
３０：腰部
４０：両脚部から腰部に亘る一連の部位
５０：スライドファスナー
【図１】
2014088648.tif 000003
【図２】
2014088648.tif 000004
【図３】
2014088648.tif 000005
【図４】
2014088648.tif 000006
【図５】
2014088648.tif 000007
【図６】
2014088648.tif 000008
【図７】
2014088648.tif 000009
【図８】
2014088648.tif 000010
【図９】
2014088648.tif 000011
【図１０】
2014088648.tif 000012
【図１１】
2014088648.tif 000013
【図１２】
2014088648.tif 000014